(57)【要約】【課題】フィット性に優れ、不快感を軽減でき、かつ生産性の高い立体マスク１０，３０を提供すること。【解決手段】表地片２１，４１と裏地片２２，４２及びフィルター生地片２４，４４、中間生地片２３，４３の縫い代１６，３６がマスク本体２０，４０の中央内部で縦に延びる構造とすることにより、硬いノーズワイヤをマスク本体２０，４０の中央部に挿通しなくても、この縫い代１６，３６によってマスク本体２０，４０がフィット性に優れた立体形状となる。【選択図】図１
2008011887.tif 000002
【特許請求の範囲】
【請求項１】
表地とフィルター生地及び裏地とを順に重ねて縫着したマスク本体を備え、該マスク本体の両側に耳掛け紐を縫着し、マスク本体の上辺部に線状の形状保持材を挿通した立体マスクであって、前記表地とフィルター生地及び裏地がそれぞれ前記マスク本体を左右半分割した略半面形状を有する表地片とフィルター生地片及び裏地片から成り、２枚の表地片を重ね合わせ、重ね合わせた表地片の外側にフィルター生地片を重ね合わせ、重ね合わせた各生地片の一方の縦縁を縫着して縦縁に沿った縫い代を形成した表側重ね片と、前記２枚の裏地片を重ね合わせ、重ね合わせた２枚の裏地片の一方の縦縁を縫着して縦縁に沿った縫い代を形成した裏側重ね片を備え、表側重ね片と裏側重ね片を縫い目から拡げて、それぞれの縫い代同士が向かい合うように重ね合わせ、重ね合わせた表側重ね片と裏側重ね片の周縁を縫着して前記マスク本体を形成したことを特徴とする立体マスク。
【請求項２】
表地とフィルター生地及び裏地とを順に重ねて縫着したマスク本体を備え、該マスク本体の両側に耳掛け紐を縫着し、マスク本体の上辺部に線状の形状保持材を挿通した立体マスクであって、前記表地とフィルター生地及び裏地がそれぞれ前記マスク本体を左右半分割した略半面形状を有する表地片とフィルター生地片及び裏地片から成り、２枚の裏地片を重ね合わせ、重ね合わせた裏地片の外側にフィルター生地片を重ね合わせ、重ね合わせた各生地片の一方の縦縁を縫着して縦縁に沿った縫い代を形成した裏側重ね片と、前記２枚の表地片を重ね合わせ、重ね合わせた２枚の表地片の一方の縦縁を縫着して縦縁に沿った縫い代を形成した表側重ね片を備え、表側重ね片と裏側重ね片を縫い目から拡げて、それぞれの縫い代同士が向かい合うように重ね合わせ、重ね合わせた表側重ね片と裏側重ね片の周縁を縫着して前記マスク本体を形成したことを特徴とする立体マスク。
【請求項３】
表地とフィルター生地及び裏地とを順に重ねて縫着したマスク本体を備え、該マスク本体の両側に耳掛け紐を縫着し、マスク本体の上辺部に線状の形状保持材を挿通した立体マスクであって、前記表地とフィルター生地及び裏地がそれぞれ前記マスク本体を左右半分割した略半面形状を有する表地片とフィルター生地片及び裏地片から成り、２枚の表地片を重ね合わせて形成した表側重ね片と、２枚の裏地片を重ね合わせ、各裏地片の外側にフィルター生地片を重ね合わせて形成した裏側重ね片を備え、表側重ね片と裏側重ね片を重ね合わせ、各生地片の一方の縦縁に沿って縫い代が形成されるように両重ね片を縫着し、縫着した表側重ね片の２枚の表地片を縫い目から拡げるとともに、裏側重ね片の２枚の裏地片を縫い目から拡げ、拡げた表側重ね片と裏側重ね片の周縁を縫着してマスク本体を縫製したことを特徴とする立体マスク。
【請求項４】
表地とフィルター生地及び裏地とを順に重ねて縫着したマスク本体を備え、該マスク本体の両側に耳掛け紐を縫着し、マスク本体の上辺部に線状の形状保持材を挿通した立体マスクであって、前記表地とフィルター生地及び裏地がそれぞれ前記マスク本体を左右半分割した略半面形状を有する表地片とフィルター生地片及び裏地片から成り、２枚の表地片を重ね合わせ、重ね合わせた表地片の外側にフィルター生地片を重ね合わせて形成した表側重ね片と、２枚の裏地片を重ね合わせて形成した裏側重ね片を備え、表側重ね片と裏側重ね片を重ね合わせ、各生地片の一方の縦縁に沿って縫い代が形成されるように両重ね片を縫着し、縫着した表側重ね片の２枚の表地片を縫い目から拡げるとともに、裏側重ね片の２枚の裏地片を縫い目から拡げ、拡げた表側重ね片と裏側重ね片の周縁を縫着してマスク本体を縫製したことを特徴とする立体マスク。
【発明の詳細な説明】
【技術分野】
【０００１】
本発明は立体マスクに関し、より詳しくは顔面にフィットし易いように縫製した立体マスクに関する。
【背景技術】
【０００２】
一般にこの種の立体マスクは、ガーゼ、編み物布等の表地と不織布、紙等のフィルター生地及びガーゼ等の裏地とを順に重ねて縫着したマスク本体を有し、マスク本体の両側に伸縮性を有する耳掛け紐を縫着した構造を備えている。
そして、顔面にフィットし易い立体形状とするためマスク本体の上辺部にワイヤを挿通している。
【０００３】
また、よりフィット性を高めるため、特開２００６−０８７８６９号公報に開示された立体マスクでは、マスク本体の略中央部に縦のノーズワイヤを挿通している。
【特許文献１】特開２００６−０８７８６９号公報
【発明の開示】
【発明が解決しようとする課題】
【０００４】
従来の立体マスクのように、マスク本体の中央部に縦のノーズワイヤを挿通した構造のものは、硬いノーズワイヤによって装着時に異物感、不快感を使用者に与える。
また、マスク本体中央部にノーズワイヤを挿通する工程が不可欠であるため、生産性が低い。
本発明はかかる問題点に鑑み、フィット性に優れ、不快感を軽減でき、かつ生産性の高い立体マスクを提供することを目的とする。
【課題を解決するための手段】
【０００５】
上記目的を達成するため請求項１に記載の発明は、表地とフィルター生地及び裏地とを順に重ねて縫着したマスク本体を備え、該マスク本体の両側に耳掛け紐を縫着し、マスク本体の上辺部に線状の形状保持材を挿通した立体マスクであって、前記表地とフィルター生地及び裏地がそれぞれ前記マスク本体を左右半分割した略半面形状を有する表地片とフィルター生地片及び裏地片から成り、２枚の表地片を重ね合わせ、重ね合わせた表地片の外側にフィルター生地片を重ね合わせ、重ね合わせた各生地片の一方の縦縁を縫着して縦縁に沿った縫い代を形成した表側重ね片と、前記２枚の裏地片を重ね合わせ、重ね合わせた２枚の裏地片の一方の縦縁を縫着して縦縁に沿った縫い代を形成した裏側重ね片を備え、表側重ね片と裏側重ね片を縫い目から拡げて、それぞれの縫い代同士が向かい合うように重ね合わせ、重ね合わせた表側重ね片と裏側重ね片の周縁を縫着して前記マスク本体を形成したことを特徴とする。
【０００６】
上記目的を達成するため請求項２に記載の発明は、表地とフィルター生地及び裏地とを順に重ねて縫着したマスク本体を備え、該マスク本体の両側に耳掛け紐を縫着し、マスク本体の上辺部に線状の形状保持材を挿通した立体マスクであって、前記表地とフィルター生地及び裏地がそれぞれ前記マスク本体を左右半分割した略半面形状を有する表地片とフィルター生地片及び裏地片から成り、２枚の裏地片を重ね合わせ、重ね合わせた裏地片の外側にフィルター生地片を重ね合わせ、重ね合わせた各生地片の一方の縦縁を縫着して縦縁に沿った縫い代を形成した裏側重ね片と、前記２枚の表地片を重ね合わせ、重ね合わせた２枚の表地片の一方の縦縁を縫着して縦縁に沿った縫い代を形成した表側重ね片を備え、表側重ね片と裏側重ね片を縫い目から拡げて、それぞれの縫い代同士が向かい合うように重ね合わせ、重ね合わせた表側重ね片と裏側重ね片の周縁を縫着して前記マスク本体を形成したことを特徴とする。
【０００７】
請求項３に記載の発明は、表地とフィルター生地及び裏地とを順に重ねて縫着したマスク本体を備え、該マスク本体の両側に耳掛け紐を縫着し、マスク本体の上辺部に線状の形状保持材を挿通した立体マスクであって、前記表地とフィルター生地及び裏地がそれぞれ前記マスク本体を左右半分割した略半面形状を有する表地片とフィルター生地片及び裏地片から成り、２枚の表地片を重ね合わせて形成した表側重ね片と、２枚の裏地片を重ね合わせ、各裏地片の外側にフィルター生地片を重ね合わせて形成した裏側重ね片を備え、
表側重ね片と裏側重ね片を重ね合わせ、各生地片の一方の縦縁に沿って縫い代が形成されるように両重ね片を縫着し、縫着した表側重ね片の２枚の表地片を縫い目から拡げるとともに、裏側重ね片の２枚の裏地片を縫い目から拡げ、拡げた表側重ね片と裏側重ね片の周縁を縫着してマスク本体を縫製したことを特徴とする。
【０００８】
請求項４に記載の発明は、表地とフィルター生地及び裏地とを順に重ねて縫着したマスク本体を備え、該マスク本体の両側に耳掛け紐を縫着し、マスク本体の上辺部に線状の形状保持材を挿通した立体マスクであって、前記表地とフィルター生地及び裏地がそれぞれ前記マスク本体を左右半分割した略半面形状を有する表地片とフィルター生地片及び裏地片から成り、２枚の表地片を重ね合わせ、重ね合わせた表地片の外側にフィルター生地片を重ね合わせて形成した表側重ね片と、２枚の裏地片を重ね合わせて形成した裏側重ね片を備え、表側重ね片と裏側重ね片を重ね合わせ、各生地片の一方の縦縁に沿って縫い代が形成されるように両重ね片を縫着し、縫着した表側重ね片の２枚の表地片を縫い目から拡げるとともに、裏側重ね片の２枚の裏地片を縫い目から拡げ、拡げた表側重ね片と裏側重ね片の周縁を縫着してマスク本体を縫製したことを特徴とする。
【発明の効果】
【０００９】
請求項１、２、３及び４に記載の発明によれば、重ね合わせて縫着した表地片と裏地片及びフィルター生地片の縫い代がマスク本体の中央内部で縦に延びる構造となるので、この縫い代によってマスク本体がフィット性に優れた立体形状となる。
しかして、本発明によれば、硬いノーズワイヤをマスク本体の中央部に挿通しなくても、縫い代によってマスクを立体形状にできる。このため、ノーズワイヤによる異物感、不快感を無くすことができる。また、ノーズワイヤの挿通工程を必要としないので、部品点数も少なく、生産性を高めることができる。
【実施例１】
【００１０】
以下に、本発明の第１実施例に係る立体マスクを図に基づき説明する。図１は当該立体マスクの正面図、図２は立体マスクの背面図、図３は立体マスクの中央部縦断断面図である。立体マスク１０はマスク本体２０と、左右一対の耳掛け紐１２，１３を備え、耳掛け紐１２，１３はマスク本体２０の左右両端に縫着されている。マスク本体２０の上縁と下縁には縁取り布片１４，１５が縫着されている。マスク本体２０の中央には、詳しくは後述するが、縦に延びる縫い代１６が内蔵されている。マスク本体２０の上縁の縁取り布片１４の内部には線状の形状保持材としてワイヤ１７が挿通されている。
【００１１】
マスク本体２０はガーゼ製の表地２１と裏地２２及び不織布製の中間生地並びに不織布製のフィルター生地から成り、表地と裏地の間に中間生地とフィルター生地を挟むようにこれらが積層されている。
【００１２】
次ぎに、第１実施例に係る立体マスク１０の縫製手順を説明する。マスク本体２０は、マスク本体を左右に２分割した半面形状と略同形の表地片２１、裏地片２２、中間生地片２３、フィルター生地片２４を積層して構成されている。
図４に示すように、２枚の表地片２１を重ね合わせ、各表地片２１の外側に中間生地片２３を重ね合わせ、さらにその外側にフィルター生地片２４を重ね合わせる。
そして、重ね合わせた各生地片２１，２３，２４の一方の縦縁、より詳しくは各生地片２１，２３，２４の２本の縦縁のうち、長寸の縦縁を縫着する。このとき所要幅の縫い代１６Ａが形成されるように縫着する。こうして表地片２１と中間生地片２３及びフィルター生地片２４とが積層された表側重ね片２１Ａを縫製する。
【００１３】
次ぎに、図５に示すように、２枚の裏地片２２を重ね合わせ、各裏地片２２の外側に中間生地片２５を重ね合わせ、長寸の縦縁を縫着し、縦縁に沿った縫い代１６Ｂを有する裏側重ね片２２Ａを形成する
【００１４】
続いて、図６及び図７に示すように、表側重ね片２１Ａを縫い代１６Ａから左右に拡げる。これにより表側重ね片２１Ａの表面側中央部に縫い目２１ａが縦に形成され、表側重ね片２１Ａの裏面側中央部に縫い代１６Ａが縦に形成される。
【００１５】
同様にして、図８及び図９に示すように、裏側重ね片２２Ａを縫い代１６Ｂから左右に拡げる。これにより、裏側重ね片２２Ａの表面側中央部に縫い目２２ａが縦に形成され、裏面側に縫い代１６Ｂが縦に形成される。そこで、図１０及び図１１に示すように、表側重ね片２１Ａと裏側重ね片２２Ａをそれぞれの縫い代１６Ａ，１６Ｂ同士を向かい合わせ、外側に縫い目２１ａ，２２ａが表れるように重ねる。そして、表地片２１の短寸の縦縁２１ｂを裏地片２２の縦縁に折り重ねる。重ね合わせた表側重ね片２１Ａと裏側重ね片２２Ａの上縁と下縁に縁取り布片１４，１５を被せ、縁取り布片１４，１５にそって縫着する。
【００１６】
次いで、マスク本体１０の上辺の縁取り布片１４にワイヤ１７を挿通する。続いて、縦縁２１ｂに沿って縫着し、上辺の縁取り布１４と下辺の縁取り布片１５に耳掛け紐１２，１３を縫着して立体マスク１０が完成する。
【００１７】
なお、第１実施例に係る立体マスク１０では、表地片２１の外側に中間生地片２３とフィルター生地片２４を重ねて表側重ね片２１Ａを縫製したが、表地片２１に更に中間生地片２３やフィルター生地片２４を重ねて縫製しても良い。また、裏地片２２の外側に中間生地片２５を重ねて裏側重ね片２２Ａを縫製したが、中間生地片２５を省略したり、あるいは中間生地片２５やフィルター生地片２４をさらに重ねて裏側重ね片２２Ａを縫製してもよい。
【００１８】
さらに、表側重ね片２１Ａを２枚の表地片２１だけで構成し、代わりに、裏側重ね片２２Ａの裏地片２２に中間生地片２５とフィルター生地片２４を重ねて縫製し、両重ね片２１Ａ，２２Ａを拡げて縫着しても第１実施例と同じ構造の立体マスク１０を縫製することができる。
【００１９】
次ぎに本発明の第２実施例に係る立体マスク３０を図１２に示す。図１２は当該立体マスク３０の正面図、図１３は立体マスク３０の背面図である。立体マスク３０はマスク本体４０と、左右一対の耳掛け紐３２，３３を備え、耳掛け紐３２，３３はマスク本体４０の左右両端に縫着されている。マスク本体４０の上縁には縁取り布片３４が縫着されている。マスク本体４０の中央には、縦に延びる縫い代３６が内蔵されている。マスク本体４０の上縁の縁取り布片３４の内部にはワイヤ３７が挿通されている。
【００２０】
マスク本体４０はガーゼ製の表地片４１と裏地片４２及び不織布製の中間生地片並びに不織布製のフィルター生地片から成り、各生地片は第１実施例に係る立体マスク１０を構成する各生地片２１，２２，２３，２４，２５と略同じ形状を有する。
【００２１】
次ぎに、第２実施例に係る立体マスク３０の縫製手順を説明する。第２実施例に係る立体マスク３０を縫製するには、図１４に示すように、２枚の表地片４１を重ね合わせ、各表地片４１の外側に中間生地片４３を重ね合わせて表側重ね片４１Ａを形成する。さらに、２枚の裏地片４２を重ね合わせ、各裏地片４２の外側にフィルター片４４を重ね合わせて裏側重ね片４２Ａを形成する。
【００２２】
続いて、表側重ね片４１Ａと裏側重ね片４２Ａを重ね合わせ、長寸縦縁に沿って縫着し、縦縁に沿った縫い代３６を形成する。
【００２３】
次ぎに、図１５及び図１６に示すように縫着した表側重ね片４１Ａの２枚の表地片４１を縫い目３６から拡げるとともに、裏側重ね片４２Ａの２枚の裏地片４２を縫い目３６から拡げる。続いて図１７に示すように、拡げた重ね片４１Ａ，４２Ａの上辺に縁取り布３４を縫着し、縁取り布３４にワイヤ３７を挿通する。
さらに左辺、右辺及び下辺を縫着してマスク本体４０を縫製し、マスク本体４０に耳掛け紐３２，３３を縫着して立体マスク３０の縫製が完了する。
【００２４】
本実施例に係る立体マスク１０，３０は、表地片２１，４１と裏地片２２，４２及びフィルター生地片２４，４４、中間生地片２３，４３の縫い代１６，３６がマスク本体２０，４０の中央内部で縦に延びる構造となるので、硬いノーズワイヤをマスク本体２０，４０の中央部に挿通しなくても、この縫い代１６，３６によってマスク本体２０，４０がフィット性に優れた立体形状となる。
【００２５】
なお、第２実施例に係る立体マスクの縫製手順において、表地片４１の外側に中間生地片４３を重ねて縫着したが、さらにフィルター生地片４４を重ねて縫着してもよい。また、裏地片４２の外側にフィルター生地片を重ねたが、その他中間生地を重ねることもできる。また、表地片４１にフィルター生地片４４を重ねた場合には裏地片４２に重ねたフィルター生地片４４を省略し、裏地片４２を２枚重ねるだけで裏側重ね片を構成することもできる。
【００２６】
上述した第１及び第２実施例の立体マスクにおける線条の形状保持材としてワイヤを用いたが、これに代えて弾性を有するプラスチックの帯片、あるいはワイヤをプラスチックで被覆したものを使用することも可能である。
【図面の簡単な説明】
【００２７】
【図１】本発明の第１実施例に係る立体マスクを示す正面図である。
【図２】同立体マスクを示す背面図である。
【図３】同立体マスクの中央部縦断断面図である。
【図４】同立体マスクのマスク本体の表側重ね片を示す斜視図である。
【図５】同立体マスクのマスク本体の裏側重ね片を示す斜視図である。
【図６】同マスク本体の拡開した表側重ね片を示す正面側斜視図である。
【図７】同マスク本体の拡開した表側重ね片を示す背面側斜視図である。
【図８】同マスク本体の拡開した裏側重ね片を示す正面側斜視図である。
【図９】同マスク本体の拡開した裏側重ね片を示す背面側斜視図である。
【図１０】同マスク本体に縁取り布を縫着した状態を示す正面図である。
【図１１】同マスク本体に縁取り布を縫着した状態を示す背面図である。
【図１２】本発明の第２実施例に係る立体マスクを示す正面図である。
【図１３】同立体マスクを示す背面図である。
【図１４】同立体マスクのマスク本体の表側重ね片と裏側重ね片を示す斜視図である。
【図１５】同マスク本体の拡開した状態を示す正面側斜視図である。
【図１６】同マスク本体の拡開した状態を示す背面側斜視図である。
【図１７】同マスク本体に縁取り布を縫着した状態を示す正面図である。
【符号の説明】
【００２８】
１０，３０…立体マスク
１２，１３，３２，３３…耳掛け紐
１４，３４…ワイヤ（線条の形状保持材）
１６，３６…縫い代
２０，４０…マスク本体
２１，４１…表地片
２２，４２…裏地片
２３，４３…中間生地片
２４，４４…フィルター生地片
２１Ａ，４１Ａ…表側重ね片
２２Ａ，４２Ａ…裏側重ね片
【図１】
2008011887.tif 000003
【図２】
2008011887.tif 000004
【図３】
2008011887.tif 000005
【図４】
2008011887.tif 000006
【図５】
2008011887.tif 000007
【図６】
2008011887.tif 000008
【図７】
2008011887.tif 000009
【図８】
2008011887.tif 000010
【図９】
2008011887.tif 000011
【図１０】
2008011887.tif 000012
【図１１】
2008011887.tif 000013
【図１２】
2008011887.tif 000014
【図１３】
2008011887.tif 000015
【図１４】
2008011887.tif 000016
【図１５】
2008011887.tif 000017
【図１６】
2008011887.tif 000018
【図１７】
2008011887.tif 000019